(57)【特許請求の範囲】
【請求項１】
正面開口部を有する庫本体の左右の各側縁部に基端部にて前後方向へ回動可能に組付けられて同庫本体の正面開口部を開閉する左右一対の開閉扉を備え、これら両開閉扉の閉鎖時、これら両開閉扉の背面側にて同背面の周縁部に沿って配設した可撓性の背面側シール部材を前記庫本体の正面開口部の周縁部に当接させ、かつ、前記両開閉扉の互いに対向する先端面側にて同先端面に沿って配設した伸縮可能で可撓性の先端面側シール部材を互いに当接させて庫本体を密閉する観音開き式冷蔵庫であり、前記各先端面側シール部材は、マグネットを収容する大筒状のシール部と、剛性の取付部と、同取付部と前記シール部を連結する細幅筒状の脚部を備え、同各先端面側シール部材は前記各開閉扉の先端面側に前記取付部にて取付けられて、同各開閉扉の開閉方向へ揺動可能に支持されていて、前記各マグネットは前記シール部内にて先端側の極性の順序が互いに反対になるように位置していることを特徴とする観音開き式冷蔵庫。
【請求項２】
請求項１に記載の観音開き式冷蔵庫において、前記各開閉扉の先端部の背面側にはシール部材を取付けるための支持部材が配設されていて、前記各先端面側シール部材は、前記取付部にて前記支持部材の先端部に取付けられて、前記シール部の先端部が前記開閉扉の先端面から所定量突出していることを特徴とする観音開き式冷蔵庫。
【請求項３】
請求項２に記載の観音開き式冷蔵庫において、前記各開閉扉の先端部の背面と前記支持部材との間には熱伝導部材が配設されて同熱伝導部材の先端部が前記先端面側シール部材の正面側に突出し、前記支持部材と前記熱伝導部材間には同熱伝導部材に熱を供給するヒータが配設されていることを特徴とする観音開き式冷蔵庫。
【請求項４】
請求項３に記載の観音開き式冷蔵庫において、前記各開閉扉に配設されている熱伝導部材の先端部は前記先端面側シール部材の正面側から離間する方向へ屈曲していることを特徴とする観音開き式冷蔵庫。
【請求項５】
請求項３または４に記載の観音開き式冷蔵庫において、前記各開閉扉に配設されている支持部材の先端部は前記各先端面側シール部材の背面側へ突出していることを徴とする観音開き式冷蔵庫。
【請求項６】
請求項１〜５のいずれか一項に記載の観音開き式冷蔵庫において、前記各開閉扉の先端面側に配設した各先端面側シール部材同士の吸着力は、前記各開閉扉の背面側に配設した各背面側シール部材の前記庫本体に対する吸着力に比較して小さく設定されていることを特徴とする観音開き式冷蔵庫。
【発明の詳細な説明】
【０００１】
【発明の属する技術分野】
本発明は、左右一対の開閉扉を有する観音開き式冷蔵庫に関する。
【０００２】
【従来の技術】
観音開き式冷蔵庫は、正面開口部を有する庫本体の左右の各側縁部に基端部にて前後方向へ回動可能に組付けられて同庫本体の正面開口部を開閉する左右一対の開閉扉を備え、これら両開閉扉の閉鎖時、これら両開閉扉の背面側にて同背面の周縁部に沿って配設した可撓性のシール部材を前記庫本体の正面開口部の周縁部に当接させ、かつ前記両開閉扉の互いに対向する先端面側にて同先端面に沿って配設した可撓性のシール部材を互いに当接させて庫本体を密閉するように構成されている。
【０００３】
しかして、観音開き式冷蔵庫においては、特開昭５８−１５３０７２号公報に示されているように、少なくとも各開閉扉の先端面側に配設される各シール部材（以下同シール部材を先端面側シール部材ということがある）として内部にマグネットが収容されているシール部材が採用されていて、各開閉扉を閉じた時、これらのシール部材の互いに対向する対向面がマグネットの磁力にて吸着されて密着されるように構成されている。
【０００４】
【発明が解決しようとする課題】
ところで、この種形式の従来の観音開き式冷蔵庫においては、先端面側シール部材同志を圧縮した状態で密着させるように構成されているため、各先端面側シール部材はある程度の剛性を持つように形成されている。
【０００５】
このため、開閉扉の閉鎖時には各先端面側シール部材の対向面は互いに摺接した状態で漸次吸着するとともに、開閉扉の開放時には各先端面側シール部材の対向面は互いに摺接した状態で漸次離間することになり、各先端面側シール部材の対向面が摩耗して耐久性を低下させることになる。また、両開閉扉の閉鎖時には、先端面側シール部材を圧縮状態で密着させる必要から、各先端面側シール部材の先端側への突出長さを精度よく形成しなければならないとともに、各先端面側シール部材を各開閉扉の先端面側へ精度よく取付けなければならない。従って、本発明の目的は、これらの問題に対処することにある。
【０００６】
【課題を解決するための手段】
本発明は観音開き式冷蔵庫に関し、特に、正面開口部を有する庫本体の左右の各側縁部に基端部にて前後方向へ回動可能に組付けられて同庫本体の正面開口部を開閉する左右一対の開閉扉を備え、これら両開閉扉の閉鎖時、これら両開閉扉の背面側にて同背面の周縁部に沿って配設した可撓性の背面側シール部材を前記庫本体の正面開口部の周縁部に当接させ、かつ、前記両開閉扉の互いに対向する先端面側にて同先端面に沿って配設した伸縮可能で可撓性の先端面側シール部材を互いに当接させて庫本体を密閉する形式の観音開き式冷蔵庫を適用対象とするものである。
【０００７】
しかして、本発明は上記した形式の観音開き式冷蔵庫であり、前記各先端面側シール部材は、マグネットを収容する大筒状のシール部と、剛性の取付部と、同取付部と前記シール部を連結する細幅筒状の脚部を備え、同各先端面側シール部材は前記各開閉扉の先端面側に前記取付部にて取付けられて、同各開閉扉の開閉方向へ揺動可能に支持されていて、前記各マグネットは前記シール部内にて先端側の極性の順序が互いに反対になるように位置していることを特徴とするものである。
【０００８】
本発明に係る観音開き式冷蔵庫においては、前記各開閉扉の先端部の背面側にはシール部材を取付けるための支持部材を配設して、前記各先端面側シール部材を、前記取付部にて前記支持部材の先端部に取付けて、前記シール部の先端部を前記開閉扉の先端面から所定量突出させる構成を採用することができる。
【０００９】
また、本発明に係る観音開き式冷蔵庫においては、前記各開閉扉の先端部の背面と前記支持部材との間に熱伝導部材を配設して同熱伝導部材の先端部を前記先端面側シール部材の正面側に突出させるとともに、前記支持部材と前記熱伝導部材間に同熱伝導部材に熱を供給するヒータを配設する構成、前記各開閉扉に配設されている熱伝導部材の先端部を前記先端面側シール部材の正面側から離間する方向へ屈曲させる構成を採用することができる。
【００１０】
また、本発明に係る観音開き式冷蔵庫においては、前記各開閉扉に配設されている支持部材の先端部を前記各先端面側シール部材の背面側へ突出させる構成、前記各開閉扉の先端面側に配設した各先端面側シール部材同士の吸着力を、前記各開閉扉の背面側に配設した各背面側シール部材の前記庫本体に対する吸着力に比較して小さく設定する構成を採用することができる。
【００１１】
【発明の作用・効果】
このように構成した観音開き式冷蔵庫においては、各開閉扉の先端面側に配設される各先端面側シール部材が伸縮可能でかつ開閉扉の開閉方向へ揺動可能であることから、開閉扉の開閉時には、各先端面側シール部材がマグネットの吸着力により開閉扉の開閉方向へ揺動して、各先端面側シール部材の対向面を開閉方向へ傾ける。このため、開閉扉の開閉時における両対向面での摺接が少なくて摩耗が抑制され、かかる摩耗に起因する各先端面側シール部材の耐久性の低下が防止される。
【００１２】
また、各先端面側シール部材は伸縮可能であるため、各先端面側シール部材の先端側への突出長さを必ずしも精度よく形成する必要が無いとともに、各先端面側シール部材の各開閉扉の先端面側への取付け精度もさほど要求されない。
【００１３】
当該観音開き式冷蔵庫において、特に、各先端面側シール部材を、マグネットを収容する大筒状のシール部と、剛性の取付部と、同取付部と前記シール部を連結する細幅筒状の脚部を備える構成として、同各先端面側シール部材を前記各開閉扉の先端面側に前記取付部にて取付けて、同各開閉扉の開閉方向へ揺動可能に支持して、前記各マグネットを前記シール部内にて先端側の極性の順序が互いに反対になるように位置させているため、開閉扉の開閉時の先端面側シール部材の開閉方向への揺動が一層容易となって対向面での摺接を一層低減させることができる。
【００１４】
また、開閉扉の閉鎖時には、一方の先端面側シール部材が他方の先端面側シール部材に漸次近接すると、両ネグマットによる反撥力の作用にて対向面が互いに離間し、かつ両先端面側シール部材がさらに接近すると両マグネットの吸引力の作用により、対向面が互いに吸着される。このため、開閉扉の閉鎖時における対向面での摺接をほぼ解消させることができる。
【００１５】
当該観音開き式冷蔵庫において、各開閉扉の先端部の背面側にシール部材を取付けるための支持部材を配設して、同支持部材の先端部に前記先端面側シール部材を取付けて同シール部材のシール部の先端部を開閉扉の先端面から所定量突出させる構成とすれば、各先端面側シール部材の各開閉扉の先端面側への取付けが容易である。
【００１６】
当該観音開き式冷蔵庫において、各開閉扉の先端部の背面と支持部材との間に熱伝導部材を配設して同熱伝導部材の先端部を先端面側シール部材の正面側に突出させるとともに、支持部材と熱伝導部材間に同熱伝導部材に熱を供給するヒータを配設する構成を採れば、熱伝導部材の先端部にて先端面側シール部材が正面側から暖められるため、先端面側シール部材の正面側への結露、着霜等を防止することができる。
【００１７】
また、熱伝導部材の先端部は先端面側シール部材を正面側から覆蓋しているため、先端面側シール部材が開閉扉の閉鎖時に両開閉扉間を通して視認されることはなく、見栄えの低下を防止することができるとともに、庫本体内に対する商品の出し入れ時の先端面側シール部材に対して保護する機能を発揮する。
【００１８】
この場合、熱伝導部材の先端部を先端面側シール部材の正面側から離間する方向へ屈曲させる構成を採れば、上記した各効果は一層発揮される。
【００１９】
当該観音開き式冷蔵庫において、支持部材の先端部を先端面側シール部材の背面側へ突出させる構成を採れば、先端面側シール部材の背面側への冷気の当りを抑制して結露、着霜を抑制することがてきるとともに、先端面側シール部材を通して庫本体内への熱の侵入をも抑制することができる。また、支持部材の先端部は熱伝導部材の先端部とともに、先端面側シール部材の開閉方向への揺動を所定量に規制し、先端面側シール部材の過剰な揺動を防止することができる。
【００２０】
当該観音開き式冷蔵庫において、各開閉扉の背面側に配設されるシール部材として内部にマグネットを収容したシール部材を採用して、同シール部材の庫本体に対する吸着力に比較して前記各開閉扉の先端面側シール部材同志の吸着力を小さく設定する構成を採れば、先端面側シール部材同志の吸着力を先端面側シール部材間のシールに必要な最小限に設定することができ、これにより開閉扉の開閉時の先端面側シール部材の対向面間で剥離力、および反撥力を低減させて、開閉扉の開閉操作を円滑に行えるようにすることができるとともに、各先端面側シール部材の早期の損傷を防止することができる。。
【００２１】
【発明の実施の形態】
以下本発明を図面に基づいて説明するに、図１には本発明に係る観音開き式冷蔵庫の一例が示されている。当該観音開き式冷蔵庫（以下単に冷蔵庫ということがある）は、上側の両開閉扉および下側の両開閉扉を全て閉鎖した正面の状態を示すもので、全ての開閉扉を正面側（手前）へ回動させることにより開放させることができるとともに、背面側（後方）へ回動させることにより閉鎖させることができるものである。
【００２２】
当該冷蔵庫は上下２段の冷蔵室を備えたもので、図２および図３に示すように、庫本体１１はその上部および下部にそれぞれ正面開口部１１ａ，１１ｂを備えているとともに、上側の正面開口部１１ａを開閉する開閉扉である左右一対の第１，第２扉１２，１３、および下側の正面開口部１１ｂを開閉する開閉扉である左右一対の第１，第２扉１４，１５を備えている。各第１扉１２，１４はそれらの基端部である左側縁部にて庫本体１１の各開口部１１ａ，１１ｂの左側縁部に前後方向へ回動可能に支持されており、また各第２扉１３，１５はそれらの基端部である右側縁部にて庫本体１１の各開口部１１ａ，１１ｂの右側縁部に前後方向へ回動可能に支持されている。各扉１２〜１５の背面側には、それらの周縁部に沿ってシール部材が配設されている。
【００２３】
各第１扉１２，１４側のシール部材は、図２〜図６に示すように、扉の背面の先端縁部に支持部材２１を介して配設されて扉の先端面に沿って上下方向に延びる第１シール部材２２（先端面側シール部材）と、扉の背面の上端縁部、基端縁部および下端縁部に直接配設されてそれらの周縁に沿ってコ字状に延びる第２シール部材２３（背面側シール部材）からなり、また、各第２扉１３，１５側のシール部材は、扉の背面の先端縁部に支持部材２４を介して配設されて扉の先端面に沿って上下方向に延びる第１シール部材２５（先端面側シール部材）と、扉の背面の上端縁部、基端縁部および下端縁に直接配設されて扉の周縁に沿ってコ字状に延びる第２シール部材２６（背面側シール部材）からなる。各シール部材２２，２３，２５，２６は、塩化ビニール製のシール部本体の内部にマグネットを収容してなるもので、第１シール部材２２，２５が本発明における先端面側シール部材に該当する。
【００２４】
なお、各第１扉１２，１４は、取っ手を除き互いに略同一に構成されているもので、同一の支持部材２１を介して同一の第１シール部材２２が配設されているとともに、同一の第２シール部材２３が配設されているものであり、また各第２扉１３，１５も互いに同一構成のもので、同一の支持部材２４を介して同一の第１シール部材２５が配設されているとともに、同一の第２シール部材２６が配設されているものである。従って、以下には、主として上側の第１扉１２および第２扉１３について詳細に説明し、下側の第１扉１４および第２扉１５についてはその詳細な説明を省略し、必要に応じて説明することとする。
【００２５】
しかして、第１扉１２側に取付けられている支持部材２１と第２扉１３側に取付けられている支持部材２４とは、図４〜図６に示すように同一構成のもので、各扉１２，１３に対しては互いに対象に取付けられている。
【００２６】
支持部材２１，２４は、各第１扉１２，１３の先端面１２ａ，１３ａの上下の長さに略同一のプラスチック製のもので、平板状の板状本体２１ａ，２４ａと、板状本体２１ａ，２４ａの先端部にて正面側に延びる取付部２１ｂ，２４ｂと、取付部２１ｂ，２４ｂの先端背面側から先端側へ突出する突出部２１ｃ，２４ｃと、板状本体２１ａ，２４ａの中間部にて正面側へ突出する脚部２１ｄ，２４ｄを備えた構成となっている。各支持部材２１，２４の取付部２１ｂ，２４ｂには、各第１シール部材２２，２５が取付けられている。
【００２７】
各第１シール部材２２，２５は、大筒状のシール部２２ａ，２５ａと細筒状の脚部２２ｂ，２５ｂとからなるゴム製の筒体と、シール部２２ａ，２５ａの先端部に収容されているマグネット２２ｃ，２５ｃと、脚部２２ｂ，２５ｂの基端部に固着されている剛性の取付部２２ｄ，２５ｄとからなるもので、マグネット２２ｃ，２５ｃの配置方向を除き同一に構成されている。マグネット２２ｃは、Ｎ極を正面側にかつＳ極を背面側にしてシール部２２ａに収容され、かつマグネット２５ｃはこれとは逆にＳ極を正面側にかつＮ極を背面側にしてシール部２５ａに収容されている。
【００２８】
各第１シール部材２２，２５においては、各脚部２２ｂ，２５ｂに設けた取付部２２ｄ，２５ｄにて各支持部材２１，２４の取付部２１ｂ，２５ｂに嵌合して取付けられていて、シール部２２ａ，２５ａを先端側へ突出させている。各支持部材２１，２４は、第１シール部材２２，２５を取付けられた状態で、各第１扉１２，１３における先端側の背面に設けた凹所を形成するプラスチック製の外殻１２ｂ，１３ｂとの間に熱伝導部材２７，２８を介在させて取付けられている。
【００２９】
熱伝導部材２７，２８は同一構成の金属製のもので、板状本体２７ａ，２８ａの先端突出部２７ｂ，２８ｂが正面側に屈曲して形成されている。各熱伝導部材２７，２８は各第１扉１２，１３の外殻１２ｂ，１３ｂ上に重合されてネジ止めされていて、先端突出部２７ｂ，２８ｂが各第１扉１２，１３の先端面１２ａ，１３ａの背面側から先端側へ突出している。
各支持部材２１，２４は各熱伝導部材２７，２８にネジ止めされて、取付部２１ｂ，２４ｂおよび脚部２１ｄ，２４ｄの正面側面を熱伝導部材２７，２８の板状本体２７ａ，２８ａに当接させた状態で取付けられており、脚部２１ｄ，２４ｄが形成する空間部にヒータ２９ａ，２９ｂが挿通されている。各ヒータ２９ａ，２９ｂは各熱伝導部材２７，２８の板状本体２７ａ，２８ａに当接している。なお、各支持部材２１，２４内の空間部は断熱部材にて充填されている。
【００３０】
かかる取付け状態においては、第１シール部材２２のシール部２２ａは、熱伝導部材２７の先端突出部２７ｂと支持部材２１の先端突出部２１ｃ間にて前後に所定間隔を保持して位置し、先端部を両先端突出部２１ｃ，２７ｂからわずかに先端側へ突出させている。同様に、第１シール部材２５のシール部２５ａは、熱伝導部材２８の先端突出部２８ｂと支持部材２４の先端突出部２４ｃ間にて前後に所定間隔を保持して位置し、先端部を両先端突出部２４ｃ，２８ｂからわずかに先端側へ突出させている。
【００３１】
第１シール部材２２は、第１扉１２の先端側および基端側に伸縮可能であるとともに正面側および背面側に揺動可能であり、同様に、第１シール部材２５は、第２扉１３の先端側および基端側に伸縮可能であるとともに正面側および背面側に揺動可能であって、両第１シール部材２２，２５が対向した場合には、各マグネット２２ｃ，２５ｃのＮ極とＳ極を対向させる。
【００３２】
当該冷蔵庫においては、各第１シール部材２２，２５に収容されているマグネット２２ｃ，２５ｃは、各第２シール部材２３，２６に収容されているマグネットより磁力の弱いものが採用されていて、各第１シール部材２２，２５同士の吸着力が各第２シール部材２３，２６の庫本体１１に対する吸着力に比較して小さく設定されている。
【００３３】
このように構成した冷蔵庫においては、上側の第１扉１２および第２扉１３を閉鎖することにより、庫本体１１の上側の開口部１１ａを気密的に閉鎖することができるとともに、下側の第１扉１４および第２扉１５を閉鎖することにより庫本体１１の下側の開口部１１ｂを気密的に閉鎖することができる。図４〜図６には、第１扉１２を閉鎖した状態において、第２扉１３を開閉する状態が示されている。
【００３４】
当該冷蔵庫においては、図４に示すように、第１扉１２を閉鎖した状態で第２扉１３を閉鎖する場合、第２扉１３の閉鎖途中に同扉１３側の第１シール部材２５が第１扉側１２の第１シール部材２２に接近すると、両第１シール部材２２，２５のマグネット２２ｃ，２５ｃが互いに反撥しあうが、第２扉１３がさらに閉鎖されて両第１シール部材２２，２５が接近すると、両マグネット２２ｃ，２５ｃのＮ極とＳ極とが対向して互いに吸引し、両第１シール部材２２，２５は、図５に示すように、先端側へ伸長した状態で先端面にて互いに吸着されて第１扉１２と第２扉１３の先端面１２ａ，１３ａ間の隙間が密閉され、その後図６に示すように閉鎖される。
【００３５】
また、図６に示すように、第１扉１２および第２扉１３が閉鎖されている状態で第２扉１３を開放させると、吸着状態にある両第１シール部材２２，２５は互いに前後方向に揺動して図５に示す状態となり、この状態で第２扉１３をさらに開放すると、両第１シール部材２２，２５は図４に示すように離間する。その後、第２扉１３は開放されるとともに、第１扉１２を開放することができる。
【００３６】
このように、当該冷蔵庫においては、第１扉１２と第２扉１３の先端面側に配設される各第１シール部材２２，２５が伸縮可能でかつ各扉１２，１３の開閉方向へ揺動可能であることから、各扉１２，１３の開閉時には、各第１シール部材２２，２５がマグネット２２ｃ，２５ｃの吸着力により扉の開閉方向へ揺動して、図５に示すように、各第１シール部材２２，２５の対向面を開閉方向へ傾ける。
【００３７】
このため、各扉１２，１３の開閉時における各第１シール部材２２，２５の対向面での摺接が少なくて摩耗が抑制され、かかる摩耗に起因する各第１シール部材２２，２５の耐久性の低下が防止される。また、各第１シール部材２２，２５は先端側および基端側へ伸縮可能であるため、各第１シール部材２２，２５の先端側への突出長さを必ずしも精度よく形成する必要が無いとともに、各第１シール部材２２，２５の第１扉１２、第２扉１３の先端面側への取付け精度もさほど要求されることはない。
【００３８】
当該冷蔵庫においては、各第１シール部材２２，２５を、基端部側を揺動し易い脚部２２ｂ，２５ｂに形成するとともに、先端側をマグネット２２ｃ，２５ｃを収容したシール部２２ａ，２５ａに形成して、各マグネット２２ｃ，２５ｃの極性の順序が互いに反対にして収容しているため、各扉１２，１３の開閉時の各第１シール部材２２，２５の開閉方向への揺動が容易となって、シール部２２ａ，２５ａの対向面での摺接を一層低減させることができる。
【００３９】
また、各扉１２，１３の閉鎖時には、いずれか一方の第１シール部材が他方の第１シール部材に漸次接近すると、両ネグマット２２ｃ，２５ｃによる反撥力の作用にてシール部２２ａ，２５ａの対向面が互いに離間し、かつ両第１シール部材２２，２５がさらに接近すると両マグネット２２ｃ，２５ｃの吸引力の作用により、シール部２２ａ，２５ａの対向面が互いに吸着される。このため、両扉１２，１３の閉鎖時におけるシール部２２ａ，２５ａの対向面での摺接をほぼ解消させることができる。
【００４０】
当該冷蔵庫においては、第１扉１２と第２扉１３の先端部の背面側に支持部材２１，２４を配設して、これら支持部材２１，２４の先端部に各第１シール部材２２，２５を取付ける構成を採用しているので、各第１シール部材２２，２５の第１扉１２、第２扉１３の先端面側への取付けが容易である。
【００４１】
また、各扉１２，１３の先端部の背面と支持部材２１，２４との間に熱伝導部材２７，２８を配設してその先端突出部２７ｂ，２８ｂを第１シール部材２２，２５の正面側に突出させて、ヒータ２９ａ，２９ｂの熱により、第１シール部材２２，２５を正面側から暖める構成を採用しているので、第１シール部材２２，２５の正面側への結露、着霜等を防止することができる。
【００４２】
また、熱伝導部材２７，２８の先端突出部２７ｂ，２８ｂは第１シール部材２２，２５を正面側から覆蓋しているため、第１シール部材２２，２５が両扉１２，１３の閉鎖時にこれらの隙間を通して視認されることはなく、見栄えの低下を防止することができるとともに、庫本体１１内に対する品物の出し入れ時の第１シール部材２２，２５に対する保護機能を発揮する。
【００４３】
当該冷蔵庫においては、支持部材２１，２４の先端突出部２１ｃ，２４ｃを第１シール部材２２，２５の背面側へ突出させる構成を採用しているので、第１シール部材２２，２５の背面側への冷気の当りを抑制して結露、着霜を防止することがてきるとともに、第１シール部材２２，２５を通して庫本体１１内への熱の侵入をも抑制することができる。また、支持部材２１，２４の先端突出部２１ｃ，２４ｃは熱伝導部材２７，２８の先端突出部２７ｂ，２８ｂとともに、第１シール部材２２，２５の揺動を所定量に規制し、第１シール部材２２，２５の過剰な揺動を防止することができる。
【００４４】
当該冷蔵庫においては、第１シール部材２２，２５同士の吸着力を第２シール部材２３，２６の庫本体１１に対する吸着力に比較して小さく構成を採用しているので、第１シール部材２２，２５同志の吸着力を第１シール部材２２，２５間をシールするのに必要な最小限に設定することができ、これにより両扉１２，１３の開閉時の第１シール部材２２，２５のシール部２２ａ，２５ａの対向面間での剥離力、および反撥力を低減させて、両扉１２，１３の開閉操作を円滑に行うことができる。
【００４５】
なお、以上の説明は上側の第１扉１２および第２扉１３に基づくものであるが、下側の第１扉１４および第２扉１５についてもこれら両扉１２，１３と同様の構成であって、これら両扉１２，１３と同様に作動し、かつ同様の作用効果を奏するものである。
【図面の簡単な説明】
【図１】本発明に係る観音開き式冷蔵庫の一例を示す正面図である。
【図２】同冷蔵庫における図１の矢印２−２線方向に見た部分拡大縦断側面図である。
【図３】同冷蔵庫を構成する開閉扉の部分拡大背面図である。
【図４】同冷蔵庫を構成する一方の開閉扉の開放状態を示す部分拡大横断平面図である。
【図５】同開閉扉の閉鎖直前または開放直後の状態を示す部分拡大横断平面図である。
【図６】同開閉扉の閉鎖状態を示す部分拡大横断平面図である。
【符号の説明】
１１…庫本体、１１ａ，１１ｂ…正面開口部、１２，１４…第１扉、１３，１５…第２扉、１２ａ，１３ａ…先端面、１２ｂ，１３ｂ…外殻、２１，２４…支持部材、２１ａ，２４ａ…板状本体、２１ｂ，２４ｂ…取付部、２１ｃ，２４ｃ…先端突出部、２１ｄ，２４ｄ…脚部、２２，２５…第１シール部材、２２ａ，２５ａ…シール部、２２ｂ，２５ｂ…脚部、２２ｃ，２５ｃ…マグネット、２２ｄ，２５ｄ…取付部、２３，２６…第２シール部材、２７，２８…熱伝導部材、２７ａ，２８ａ…板状本体、２７ｂ，２８ｂ…先端突出部、２９ａ，２９ｂ…ヒータ。
【図１】
0003575723.tif 000002
【図２】
0003575723.tif 000003
【図３】
0003575723.tif 000004
【図４】
0003575723.tif 000005
【図５】
0003575723.tif 000006
【図６】
0003575723.tif 000007